(57)【特許請求の範囲】
【請求項１】
患者情報で識別される医用画像を表示するとともに、この医用画像に対するコメント又はアノテーションの入力を受け付ける画像観察装置と、前記コメントと前記アノテーションを前記医用画像と関連づけて保管するデータ保管装置とを有するネットワークに接続され、レポートの文書データに対するテキストの入力を受け付けるレポート作成支援装置であって、
前記データ保管装置から前記コメント又は前記アノテーションを取得する取得手段と、
前記コメント又は前記アノテーションに含まれるテキストを抽出する抽出手段と、
抽出された前記テキストに基づいて前記文書データを生成する文書生成手段と、
前記テキストが掲載された文書データを表示する表示部と、
を備え、
前記抽出手段は、
前記コメント又は前記アノテーションから抽出するテキストの種類を定義した抽出定義テーブルを予め記憶し、
前記抽出定義テーブルを参照して、前記コメント又は前記アノテーションから特定の種類のテキストを抽出すること、
を特徴とするレポート作成支援装置。
【請求項２】
前記テキストの並び順規則を定義する規則テーブルを予め記憶する記憶手段をさらに備え、
前記文書生成手段は、前記記憶手段に記憶された前記テキストを、前記規則テーブルに従った並び順序で前記文書データに掲載すること、
を特徴とする請求項１記載のレポート作成支援装置。
【請求項３】
前記取得手段は、
前記文書データに予め記録されている患者情報で識別される医用画像に関連づけられた前記コメント又は前記アノテーションを取得すること、
を特徴とする請求項１記載のレポート作成支援装置。
【請求項４】
前記文書データに医用画像を掲載する画像生成手段をさらに備え、
前記取得手段は、前記文書データに予め記録されている患者情報で識別される医用画像をさらに取得し、
前記画像生成手段は、前記取得手段で取得された医用画像を、この医用画像に関連づけられた前記コメント又は前記アノテーションに含まれる前記テキストに関連づけて前記文書データに掲載すること、
を特徴とする請求項１記載のレポート作成支援装置。
【請求項５】
前記文書データに医用画像をリンク付けする画像生成手段をさらに備え、
前記取得手段は、前記文書データに予め記録されている患者情報で識別される医用画像の保管先情報をさらに取得し、
前記画像生成手段は、前記取得手段で取得された医用画像の保管先情報を、この医用画像に関連づけられた前記コメント又は前記アノテーションに含まれる前記テキストにリンク付けすること、
を特徴とする請求項１記載のレポート作成支援装置。
【請求項６】
前記文書生成手段は、規則テーブルに従って、キー画像に対する前記コメントに含まれるテキストを優先して上位に並べること、
を特徴とする請求項２記載のレポート作成支援装置。
【請求項７】
前記文書生成手段は、規則テーブルに従って、前記文書データに記録されている検査目的毎に設定されたキーワードを含むテキストを優先して上位に並べること、
を特徴とする請求項２記載のレポート作成支援装置。
【請求項８】
前記文書生成手段は、規則テーブルに従って、前記コメント又は前記アノテーションが入力された順序で並べること、
を特徴とする請求項２記載のレポート作成支援装置。
【請求項９】
前記記憶手段は、複数の前記並び順規則とこれら規則の優先順位とを関連づけた前記規則テーブルを記憶し、
前記文書生成手段は、前記優先順位に従った順序で前記並び順規則を適用した並び順序で、前記テキストを前記文書データに並べること、
を特徴とする請求項２記載のレポート作成支援装置。
【請求項１０】
画像観察装置とデータ保管装置とレポート作成支援装置とを有するレポート作成支援システムであって、
前記画像観察装置は、
患者情報で識別される医用画像を表示する表示手段と、
前記医用画像に対するコメント又はアノテーションの入力を受け付ける操作手段と、
を備え、
前記データ保管装置は、
前記コメントと前記アノテーションを前記医用画像と関連づけて記憶するデータベース記憶手段を備え、
前記レポート作成支援装置は、
レポートの文書データに対するテキストの入力を受け付ける操作部と、
前記データ保管装置から前記コメント又は前記アノテーションを取得する取得手段と、
前記コメント又は前記アノテーションに含まれるテキストを抽出する抽出手段と、
抽出された前記テキストに基づいて前記文書データを生成する文書生成手段と、
前記テキストが掲載された文書データを表示する表示部と、を備え、
前記抽出手段は、
前記コメント又は前記アノテーションから抽出するテキストの種類を定義した抽出定義テーブルを予め記憶し、
前記抽出定義テーブルを参照して、前記コメント又は前記アノテーションから特定の種類のテキストを抽出すること、
を特徴とするレポート作成支援システム。
【発明の詳細な説明】
【技術分野】
【０００１】
本発明は、医用画像を読影した結果を記述するレポート作成を支援する技術に関する。
【背景技術】
【０００２】
医療現場では、Ｘ線ＣＴ装置やＭＲＩ装置等の画像診断装置により被検体内を撮影し、得られた医用画像を読影し、読影結果をまとめたレポートに基づいて診断や治療が行われることが多い。
【０００３】
医用画像の読影及びレポートの作成では、レポート作成支援システムが利用される（例えば特許文献１）。レポート作成支援システムは、画像観察装置とデータ保管装置とレポート作成支援装置とから構成される。データ保管装置に保管されている医用画像を画像観察装置の表示画面に表示して読影し、レポート作成支援装置の表示画面にレポートを表示して、キーボード等により入力を行う。
【０００４】
この読影及びレポートの作成作業では、医用画像を表示している画面とレポートを表示している画面とが分かれているために、レポートを作成するためには、いったん読影を中断しなくてはならない。即ち、読影及びレポートの作成中は、画像観察装置の表示画面とレポート作成支援装置の表示画面を何度も行き来する必要があり、読影に集中できない場合がある。特に、複数の病変が含まれる場合には、この表示画面間の行き来は顕著である。
【０００５】
【特許文献１】特開２００５−３０１４５３号公報
【発明の開示】
【発明が解決しようとする課題】
【０００６】
本発明は、上記事情に鑑みてなされたものであり、その目的とするところは、読影及びレポートの作成作業において、読影を中断することなくレポートを作成することのできる技術を提供することにある。
【課題を解決するための手段】
【０００７】
上記課題を解決するための請求項１記載の本発明に係るレポート作成支援装置は、患者情報で識別される医用画像を表示するとともに、この医用画像に対するコメント又はアノテーションの入力を受け付ける画像観察装置と、前記コメントと前記アノテーションを前記医用画像と関連づけて保管するデータ保管装置とを有するネットワークに接続され、レポートの文書データに対するテキストの入力を受け付けるレポート作成支援装置であって、前記データ保管装置から前記コメント又は前記アノテーションを取得する取得手段と、前記コメント又は前記アノテーションに含まれるテキストを抽出する抽出手段と、抽出された前記テキストに基づいて前記文書データを生成する文書生成手段と、前記テキストが掲載された文書データを表示する表示部と、を備え、前記抽出手段は、前記コメント又は前記アノテーションから抽出するテキストの種類を定義した抽出定義テーブルを予め記憶し、前記抽出定義テーブルを参照して、前記コメント又は前記アノテーションから特定の種類のテキストを抽出することを特徴とする。
前記テキストの並び順規則を定義する規則テーブルを予め記憶する記憶手段をさらに備え、前記文書生成手段は、前記記憶手段に記憶された前記テキストを、前記規則テーブルに従った並び順序で前記文書データに掲載するようにしてもよい（請求項２記載の発明に相当）。
【０００８】
前記取得手段は、前記文書データに予め記録されている患者情報で識別される医用画像に関連づけられた前記コメント又は前記アノテーションを取得するようにしてもよい（請求項３記載の発明に相当）。
【００１０】
前記文書データに医用画像を掲載する画像生成手段をさらに備え、前記取得手段は、前記文書データに予め記録されている患者情報で識別される医用画像をさらに取得し、前記画像生成手段は、前記取得手段で取得された医用画像を、この医用画像に関連づけられた前記コメント又は前記アノテーションに含まれる前記テキストに関連づけて前記文書データに掲載するようにしてもよい（請求項４記載の発明に相当）。
【００１１】
前記文書データに医用画像をリンク付けする画像生成手段をさらに備え、前記取得手段は、前記文書データに予め記録されている患者情報で識別される医用画像の保管先情報をさらに取得し、前記画像生成手段は、前記取得手段で取得された医用画像の保管先情報を、この医用画像に関連づけられた前記コメント又は前記アノテーションに含まれる前記テキストにリンク付けするようにしてもよい（請求項５記載の発明に相当）。
【００１２】
前記文書生成手段は、規則テーブルに従って、キー画像に対する前記コメントに含まれるテキストを優先して上位に並べるようにしてもよい（請求項６記載の発明に相当）。
【００１３】
前記文書生成手段は、規則テーブルに従って、前記文書データに記録されている検査目的毎に設定されたキーワードを含むテキストを優先して上位に並べるようにしてもよい（請求項７記載の発明に相当）。
【００１４】
前記文書生成手段は、規則テーブルに従って、前記コメント又は前記アノテーションが入力された順序で並べるようにしてもよい（請求項８記載の発明に相当）。
【００１５】
前記記憶手段は、複数の前記並び順規則とこれら規則の優先順位とを関連づけた前記規則テーブルを記憶し、前記文書生成手段は、前記優先順位に従った順序で前記並び順規則を適用した並び順序で、前記テキストを前記文書データに並べるようにしてもよい（請求項９記載の発明に相当）。
【００１６】
上記課題を解決するための請求項１０記載の本発明に係るレポート作成支援システムは、画像観察装置とデータ保管装置とレポート作成支援装置とを有するレポート作成支援システムであって、前記画像観察装置は、患者情報で識別される医用画像を表示する表示手段と、前記医用画像に対するコメント又はアノテーションの入力を受け付ける操作手段と、を備え、前記データ保管装置は、前記コメントと前記アノテーションを前記医用画像と関連づけて記憶するデータベース記憶手段を備え、前記レポート作成支援装置は、レポートの文書データに対するテキストの入力を受け付ける操作部と、前記データ保管装置から前記コメント又は前記アノテーションを取得する取得手段と、前記コメント又は前記アノテーションに含まれるテキストを抽出する抽出手段と、抽出された前記テキストに基づいて前記文書データを生成する文書生成手段と、前記テキストが掲載された文書データを表示する表示部と、を備え、前記抽出手段は、前記コメント又は前記アノテーションから抽出するテキストの種類を定義した抽出定義テーブルを予め記憶し、前記抽出定義テーブルを参照して、前記コメント又は前記アノテーションから特定の種類のテキストを抽出することを特徴とする。
【発明の効果】
【００１７】
本発明によれば、画像観察装置で生成したコメントやアノテーションに含まれるテキストを取得して、レポートの文書データに掲載する。従って、読影医は、レポートを作成する画面と読影する画面とを行き来する必要がなくなり、より集中して読影を行うことが可能となる。
【発明を実施するための最良の形態】
【００１８】
以下、本発明に係るレポート作成支援技術の好適な実施形態について、図面を参照しながら具体的に説明する。
【００１９】
図１は、レポート作成支援システム１の全体構成を示すブロック図である。
【００２０】
レポート作成支援システム１は、画像観察装置２とデータ保管装置３とレポート作成支援装置４とから構成されている。画像観察装置２とデータ保管装置３とレポート作成支援装置４は、データの入出力が可能にネットワークで接続されている。
【００２１】
画像観察装置２とデータ保管装置３とレポート作成支援装置４は、ＣＰＵ等の演算制御装置とＲＡＭ等の主記憶装置とＨＤＤ等の外部記憶装置と通信インターフェースとから構成される所謂コンピュータである。画像観察装置２とレポート作成支援装置４は、マンマシンインターフェースとなる入出力インターフェースを備えている。出力インターフェースとしては、液晶ディスプレイやＣＲＴディスプレイ等のテキストや画像を表示する表示部２１、４１を備えている。入力インターフェースとしては、テキストや操作指示を入力するマウスやキーボード等の操作部２２、４２を備えている。
【００２２】
画像観察装置２は、読影のための装置であり、医用画像を表示する。医用画像は、被検体を撮影することで得られた被検体内の画像データ及びこの画像データの属性を表す付帯情報からなる。画像観察装置２は、操作部２２の操作に応じて、表示している医用画像を拡大する等の表示態様の変更を行う。また、画像観察装置２は、操作部２２の操作に応じて、表示されている医用画像をキー画像として特定する。キー画像は、特に注目すべき医用画像データを指し示す。また、画像観察装置２は、操作部２２を用いてテキストが入力されると、入力されたテキストを医用画像に付帯させて表示部２１に表示する。読影医は、医用画像を読影した結果を示すテキストとして、コメントやアノテーションを操作部２２を用いて入力する。アノテーションは、関心部分を表示する矢印とその関心部分に対するテキストからなる。
【００２３】
データ保管装置３は、医用画像データと画像再現情報データ若しくはキー画像選択情報データをデータベース化して記憶する。医用画像データは、ＤＩＣＯＭ規格で取り扱い可能にオブジェクトされた画像ファイルである。画像再現情報データとキー画像選択情報データは、ＤＩＣＯＭ規格で取り扱い可能にオブジェクト化されたデータファイルである。ＤＩＣＯＭとは、米国のACR（American College of Radiology）とNEMA（National Electrical Manufacturers Association）が1983年に標準化を開始した医用画像についてのデータ形式、通信方法、システム、サービスなどの規約である。
【００２４】
画像再現情報データは、画像観察装置２で表示された医用画像の表示態様を含む情報である。画像再現情報データは、ＤＩＣＯＭ規格でいうＰｒｅｓｅｎｔａｔｉｏｎ  Ｓｔａｔｅオブジェクトである。キー画像選択情報データは、操作部２２を用いて選択されたキー画像を特定する情報である。キー画像選択情報データは、ＤＩＣＯＭ規格でいうＫｅｙ  Ｏｂｊｅｃｔ  Ｓｅｌｅｃｔｉｏｎオブジェクトである。
【００２５】
画像再現情報データには、医用画像が画像観察装置２で表示されているときに付されたアノテーションが含まれる。キー画像選択情報データには、キー画像として選択された医用画像に対するコメントが含まれる。
【００２６】
レポート作成支援装置４は、モニタにレポートと呼ばれる文書データを表示し、操作部２２を用いて入力されたテキストや画像貼りつけやリンク付け等の処理をレポートに反映する。レポートは、読影医が読影の結果を記す文書データである。
【００２７】
このレポート作成支援システム１は、レポート作成支援装置４に表示されているレポートにテキストを自動掲載する。レポート作成支援システム１は、画像観察装置２に表示された医用画像に対してキー画像選択時に付されたコメントやアノテーションに含まれているテキストを画像再現情報データとキー画像選択情報データから抽出して、それらをレポートに掲載する。レポート作成支援装置４に表示されているレポートには、読影した医用画像データを識別する情報が予め記録されている。レポート作成支援システム１は、このレポートに記録されている医用画像データを識別する情報で識別された医用画像データを参照することで付されたコメントやアノテーションに含まれているテキストをレポートに掲載する。
【００２８】
図２乃至図４は、このようなレポート作成支援システム１の機能構成を示すブロック図である。
【００２９】
図２は、画像観察装置２の構成を示すブロック図である。画像観察装置２は、表示部２１と操作部２２と表示制御部２３と読影結果生成部２４を備える。
【００３０】
表示制御部２３は、主に演算制御装置を含み構成される。この表示制御部２３は、データ保管装置３に記憶されている医用画像データをモニタに表示させる。操作部２２を用いて医用画像の表示態様を変更する操作がなされると、この表示制御部２３は、操作に応じて医用画像の表示態様を変更する。また、この表示制御部２３は、操作部２２を用いて入力されたキー画像選択時のコメントやアノテーションを医用画像上に表示する。
【００３１】
読影結果生成部２４は、主に演算制御装置と通信インターフェースを含み構成される。読影結果生成部２４は、画像再現情報データとキー画像選択情報データの元となる画像再現情報元データとキー画像選択情報元データを生成してデータ保管装置３に送信する。
【００３２】
画像再現情報元データは、アノテーションが付された医用画像データを識別するＳＯＰインスタンスＵＩＤ及びその医用画像データの検査内容を識別する検査ＵＩＤと、その医用画像データの画像観察装置２における表示態様を示す情報と、その医用画像に付されたアノテーションの内容を示すアノテーション情報と、アノテーションが入力された時刻を表す時刻情報を含む。アノテーション情報には、矢印が付された位置情報と、この矢印に対応させて入力されたテキストとが含まれる。
【００３３】
キー画像選択情報元データは、コメント入力がなされた医用画像データを識別するＳＯＰインスタンスＵＩＤ及びその医用画像データの検査内容を識別する及び検査ＵＩＤと、その医用画像データにキー画像選択時に付されたコメント情報と、このコメントが入力された時刻を表す時刻情報を含む。コメント情報には、キー画像として選択された医用画像データに対応付けて入力されたテキストが含まれる。
【００３４】
読影結果生成部２４は、操作部２２を用いてアノテーションを付す操作がなされると、アノテーション情報を含む画像再現情報元データを生成し、データ保管装置３に送信する。また、読影結果生成部２４は、表示されている医用画像の拡大等の表示態様変更操作が操作部２２を用いて行われると、表示態様を示す情報を含む画像再現情報元データを生成し、データ保管装置３に送信する。また、読影結果生成部２４は、キー画像の選択及びキー画像として選択された医用画像に対するコメントを付す操作が操作部２２を用いて行われると、コメント情報を含むキー画像選択情報元データを生成し、データ保管装置３に送信する。
【００３５】
この読影結果生成部２４は、画像再現情報元データとキー画像選択情報元データの保存操作が操作部２２を用いて行われたことを契機としてまとめて生成し、まとめてデータ保管装置３に送信してもよい。または、画像再現情報元データとキー画像選択情報元データを逐次生成し、逐次データ保管装置３に送信してもよい。
【００３６】
図３は、データ保管装置３の構成を示すブロック図である。データ保管装置３は、オブジェクト生成部３１とオブジェクト保管部３２とオブジェクトデータベース記憶部３３とデータ送受信部３４とを備える。
【００３７】
オブジェクト生成部３１は、主に演算制御装置を含み構成される。オブジェクト生成部３１は、画像再現情報元データとキー画像選択情報元データをＤＩＣＯＭ形式でオブジェクト化して画像再現情報データとキー画像選択情報データを生成し、ＳＯＰインスタンスＵＩＤ即ち画像再現情報データとキー画像選択情報データを識別する識別情報を設定してデータベースに登録する。データベースは、オブジェクトデータベース記憶部３３に記憶される。
【００３８】
ＤＩＣＯＭ規格におけるオブジェクトは、タグと情報の中身との対で構成されるエレメントの集まりである。タグは、対となっている情報の種別を表す。オブジェクト生成部３１は、元データに対して、元データの種別に合わせたタグを付すことで、このＤＩＣＯＭ規格におけるオブジェクトを生成する。
【００３９】
例えば、オブジェクト生成部３１は、画像再現情報元データを受信すると、画像再現情報元データから医用画像データを識別するＳＯＰインスタンスＵＩＤと検査ＵＩＤと、表示態様を示す情報と、アノテーション情報に含まれているテキストと、時刻情報を抽出する。そして、抽出した情報のそれぞれに対応した種別のタグを対にしたエレメントを作成し、エレメントを結合することで、一つの画像再現情報データ即ちＰｒｅｓｅｎｔａｔｉｏｎ  Ｓｔａｔｅオブジェクトを生成する。
【００４０】
また、オブジェクト生成部３１は、キー画像選択情報元データを受信すると、医用画像データを識別するＳＯＰインスタンスＵＩＤ及び検査ＵＩＤと、コメント情報に含まれているテキストと、時刻情報を抽出する。そして、抽出した情報のそれぞれに対応した種別のタグを対にしたエレメントを作成し、エレメントを結合することで、一つのキー画像選択情報データ即ちＫｅｙ  Ｏｂｊｅｃｔ  Ｓｅｌｅｃｔｉｏｎオブジェクトを生成する。
【００４１】
オブジェクト生成部３１で生成された画像再現情報データとキー画像選択情報データは、オブジェクト保管部３２に記憶される。オブジェクト保管部３２は、主に外部記憶装置で構成される。このオブジェクト保管部３２には、画像再現情報データとキー画像選択情報データのほか、Ｘ線ＣＴ装置やＭＲＩ装置等の画像診断装置で撮影されて得られた医用画像データも記憶されている。画像観察装置２は、このオブジェクト保管部３２から、Ｑｕｅｒｙ／Ｒｅｔｒｉｅｖｅ等のサービスクラスや、ｈｔｔｐ（Hｙｐｅｒｔｅｘｔ  Ｔｒａｎｓｆｅｒ  Ｐｒｏｔｏｃｏｌ）等によるネットワーク配信によって、表示する医用画像データを取得する。
【００４２】
図４は、オブジェクトデータベース記憶部３３に記憶されたデータベースを示すデータ構造図である。
【００４３】
オブジェクトデータベース記憶部３３に記憶されているデータベースは、医用画像データや画像再現情報データやキー画像選択情報データといったオブジェクトのパスと属性とを関連づけている。オブジェクトの属性は、患者ＩＤと、患者名と、検査日と、種別と、参照した医用画像データを識別するＳＯＰインスタンスＵＩＤと、検査ＵＩＤと、種別に対応したＳＯＰクラスＵＩＤといったオブジェクトを特定する情報である。
【００４４】
患者ＩＤは、オブジェクトが対象としている医用画像の情報主体のＩＤである。患者名は、オブジェクトが対象としている医用画像の情報主体の名前である。検査日は、オブジェクトが対象としている医用画像が撮影された日である。種別は、オブジェクトの種別である。この種別としては、例えば、オブジェクトが医用画像データであると、Ｘ線ＣＴ装置で撮影されたことを示す「ＣＴ」等の情報が関連づけられ、オブジェクトが画像再現情報データ即ちＰｒｅｓｅｎｔａｔｉｏｎ  Ｓｔａｔｅオブジェクトであると、画像再現情報データであることを示す「ＰＲ」等の情報が関連づけられる。
【００４５】
オブジェクト生成部３１は、ＳＯＰインスタンスＵＩＤと検査ＵＩＤを、画像再現情報元データやキー画像選択情報元データから取得する。種別とＳＯＰクラスＵＩＤは、受信したオブジェクトの種類に応じて関連づける。
【００４６】
また、オブジェクト生成部３１は、患者ＩＤと患者名と検査日を、医用画像データに付帯する付帯情報から取得する。この医用画像データについては、オブジェクト生成部３１は、オブジェクトに含まれる画像を識別するＳＯＰインスタンスＵＩＤを取得し、このＳＯＰインスタンスＵＩＤで特定される医用画像データをオブジェクト保管部３２から読み出す。
【００４７】
データ送受信部３４は、主に演算制御装置と通信インターフェースとにより構成される。このデータ送受信部３４は、レポート作成支援装置４からのＱｕｅｒｙ／Ｒｅｔｒｉｅｖｅ等のデータ要求を受けて、オブジェクトデータベース記憶部３３のデータベースを参照する。そして、オブジェクトデータベース記憶部３３のデータベース参照することで、医用画像データや画像再現情報データやキー画像選択情報データといったオブジェクトをオブジェクト保管部３２から取得し、レポート作成支援装置４に送信する。
【００４８】
図５は、レポート作成支援装置４の構成を示すブロック図である。レポート作成支援装置４は、データ取得部４３とテキスト抽出部４４とテキストデータベース記憶部４５と文書生成部４６と参照画像生成部４７と表示制御部４８と表示部４１とを備える。
【００４９】
データ取得部４３は、主に演算制御装置と通信インターフェースを含み構成される。このデータ取得部４３は、ファイル保管装置に対してＱｕｅｒｙ／Ｒｅｔｒｉｅｖｅ等によってオブジェクトのデータ要求を行い、ファイル保管装置のデータ送受信部３４から送信されたオブジェクトを受信する。データ取得部４３は、レポート作成支援装置４の表示部４１に表示されているレポートから、患者ＩＤと患者名と検査日を検査ＵＩＤを読み出して、これらを含むレコードの一覧をデータ保管装置３のデータ送受信部３４に要求する。そして、レコードの一覧を受信すると、画像再現情報データやキー画像選択情報データや医用画像データの取得では、一覧の中から、画像再現情報データ及びキー画像選択情報データや医用画像データを表すＳＯＰクラスＵＩＤに関連づけられているオブジェクトの取得を要求する。
【００５０】
テキスト抽出部４４は、主に演算制御装置と外部記憶装置を含み構成されている。このテキスト抽出部４４は、データ取得部４３が取得した画像再現情報データ及びキー画像選択情報データからテキストを抽出する。そして、テキスト抽出部４４は、抽出したテキストをテキストデータベース記憶部４５に記憶されているデータベースに登録する。テキストデータベース記憶部４５は、主に外部記憶装置を含み構成されている。
【００５１】
テキスト抽出部４４は、抽出するテキストの種類を定義している抽出定義テーブル４４１を予め記憶している。テキスト抽出部４４は、この抽出定義テーブル４４１に従って画像再現情報データ及びキー画像選択情報データからテキストを抽出する。
【００５２】
図６は、抽出定義テーブル４４１のデータ構造を示す図である。
【００５３】
抽出定義テーブル４４１は、オブジェクトの種類によって抽出するテキストの種類を定義したテーブルであり、オブジェクトの種類とタグの種類とを関連づけて記憶している。オブジェクトの種類は、ＳＯＰクラスＵＩＤとしてテーブルに記憶され、タグの種類は、タグの種類情報としてテーブルに記憶されている。
【００５４】
画像再現情報データを表すＳＯＰクラスＵＩＤに対応づけているタグの種類情報は、画像再構成情報データ中のアノテーション情報に含まれているテキストのエレメントを示している。キー画像選択情報データを表すＳＯＰクラスＵＩＤに対応付けているタグの種類情報は、キー画像選択情報データ中のコメント情報に含まれているテキストのエレメントを示している。医用画像データを表すＳＯＰクラスＵＩＤに対応付けているタグの種類情報は、医用画像データに付帯する検査内容を示す情報に含まれているテキストのエレメントを示している。
【００５５】
例えば、画像再現情報データ即ちＰｒｅｓｅｎｔａｔｉｏｎ  Ｓｔａｔｅオブジェクトにおいて抽出するテキストを定義するレコードとして、Ｐｒｅｓｅｎｔａｔｉｏｎ  ＳｔａｔｅオブジェクトのＳＯＰクラスＵＩＤである「１．２．８４０．１０００８．５．１．４．１．１．１１．１」と、図形に付帯するテキストを情報として内包するエレメントのタグの種類情報である「００７０，０００６」、又は図形層の内容の自由なテキスト記述を情報として内包するエレメントのタグの種類情報である「００７０，００６８」が関連づけられている。
【００５６】
また、キー画像選択情報データ即ちＫｅｙ  Ｏｂｊｅｃｔ  Ｓｅｌｅｃｔｉｏｎオブジェクトにおいて抽出するテキストを定義するレコードとして、Ｋｅｙ  Ｏｂｊｅｃｔ  ＳｅｌｅｃｔｉｏｎオブジェクトのＳＯＰクラスＵＩＤである「１．２．８４０．１０００８．５．１．４．１．１．８８．５９」と、テキストを情報として内包するエレメントのタグの種類情報である「００４０，ａ１６０」が関連づけられている。
【００５７】
また、Ｘ線ＣＴ装置由来の医用画像データにおいて抽出するテキストを定義するレコードとして、このＳＯＰクラスＵＩＤである「１．２．８４０．１０００８．５．１．４．１．１．２」と、検査記述のテキストを情報として内包するエレメントのタグの種類情報である「０００８，１０３０」が関連づけられている。
【００５８】
テキスト抽出部４４は、データ取得部４３がオブジェクトを取得すると、取得したオブジェクトのＳＯＰクラスＵＩＤに関連づけられているタグの種類情報を抽出定義テーブル４４１から読み出す。そして、抽出適宜テーブルから読み出した種類情報で示されるタグを、取得したオブジェクトから探索して、探索したタグ以下に記録されているテキストを抽出する。
【００５９】
図７は、テキストデータベース記憶部４５に記憶されているデータベースのデータ構造を表す図である。
【００６０】
テキストデータベース記憶部４５に記憶されているデータベースには、テキストと、そのテキストの抽出元となったオブジェクトのＳＯＰインスタンスＵＩＤ即ちオブジェクトを識別する情報と、そのオブジェクトが参照している医用画像データのＳＯＰインスタンスＵＩＤ即ち医用画像データを識別する情報と、そのオブジェクトの元データが生成された時刻情報と、検査ＵＩＤが関連づけられている。
【００６１】
テキスト抽出部４４は、オブジェクトからテキストを抽出する際に、オブジェクトのＳＯＰインスタンスＵＩＤと参照している医用画像データのＳＯＰインスタンスＵＩＤと時刻情報とを共に読み出して、関連づけてデータベース登録する。
【００６２】
文書生成部４６は、主に演算制御装置と外部記憶装置を含み構成されている。この文書生成部４６は、テキストデータベース記憶部４５にデータベース化して記憶されているテキストを、表示部４１で表示しているレポートの文書データに掲載する。文書生成部４６は、テキストを優先順位に従って文書データに並べる。この文書生成部４６は、テキストを並べる優先順位を表す文書生成規則テーブル４６１を予め記憶している。この文書生成規則テーブル４６１を参照して、各テキストに優先順位を付けて、その優先順位に従ってテキストを並べる。
【００６３】
図８は、文書生成規則テーブル４６１のデータ構造を表す図である。
【００６４】
文書生成規則テーブル４６１には、テキストの並び順規則とその並び順規則の優先順位が関連づけられている。文書生成部４６は、優先順位に従って並び順規則を適用し、テキストを並べる。並び順規則は、例えば、キー画像に対して付与されたコメントやアノテーションのテキストか否か、テキスト中にキーワードが存在するか否か、及び時刻順である。これらに規則の適用優先順位を示す数値が関連づけられている。
【００６５】
文書生成部４６は、文書生成規則テーブル４６１から優先順位に従って並び規則と、テキストデータベース記憶部４５に記憶されているテキストを読み出す。そして、文書生成部４６は、読み出した規則に従って、テキストを並び替えてレポートの文書データに掲載する。
【００６６】
例えば、文書生成規則テーブル４６１に、適用優先順位が高い順に、キー画像に対して付与されたコメントやアノテーションのテキストか否かと、テキスト中にキーワードが存在するか否か、と時刻順とが並び順規則として記憶されているものとする。
【００６７】
キー画像に対して付与されたコメントやアノテーションのテキストか否かの並び順規則に従った文書生成部４６は、テキストに関連づけられているオブジェクトを識別するＳＯＰインスタンスＵＩＤを参照して、キー画像選択情報データを表すＳＯＰインスタンスＵＩＤが関連づけられているテキストを上位に並べる。
【００６８】
さらに、テキスト中にキーワードが存在するか否かの並び順規則に従った文書生成部４６は、キー画像選択情報データに含まれているテキストの並び、及びキー画像選択情報データに含まれていないテキストの並びを、それぞれキーワードの有無によって並び替える。文書生成部４６は、予めキーワードを記憶しているキーワードテーブル４６２を記憶している。
【００６９】
図９は、キーワードテーブル４６２のデータ構造を示す図である。
【００７０】
キーワードテーブル４６２には、検査目的を示す情報とキーワードとが関連づけられている。検査目的を示す情報は、予めレポートに記録されている検査目的を示す情報に対応している。文書生成部４６は、レポートの検査目的を示す情報を読み出し、キーワードテーブル４６２を参照して、読み出した検査目的を示す情報と関連づけられているキーワードを読み出す。そして、文書生成部４６は、テキストを検索して、キーワードが含まれているテキストを上位に並び替える。
【００７１】
例えば、キーワードテーブル４６２には、検査目的を示す情報として、精査、治療効果判定、術後を示す情報が記憶されている。表示しているレポートの検査目的の欄に精査を示す文字列が記載されていれば、精査に対応するキーワードをキーワードテーブル４６２から読み出す。精査に対応するキーワードとしては、例えば、増大を示す文字列である。文書生成部４６は、この増大を示す文字列を検索キーとしてテキストを検索する。そして、増大を示す文字列がテキストに含まれていれば、そのテキストを他のテキストよりも上位に並び替える。
【００７２】
さらに、時刻順の並び規則に従った文書生成部４６は、キー画像選択情報データに含まれているテキストであり、かつキーワードが含まれているテキストの並び、キー画像選択情報データに含まれているテキストであり、かつキーワードが含まれていないテキストの並び、キー画像選択情報データに含まれていないテキストであり、かつキーワードが含まれているテキストの並び、及びキー画像選択情報データに含まれていないテキストであり、かつキーワードが含まれていないテキストの並びを、それぞれ時刻によって並び替える。文書生成部４６は、テキストデータベースの時刻を読み出し、時刻が古い順にテキストを並び替える。
【００７３】
参照画像生成部４７は、主に演算制御装置を含み構成されている。参照画像生成部４７は、文書生成部４６により並べられたテキストに医用画像データをリンク付けする。参照画像生成部４７は、キーワードデータベースを参照して、テキストに関連づけられている医用画像データを特定する情報を取得し、医用画像データを特定する情報を検索キーとしてデータ取得部４３にＱｕｅｒｙ／Ｒｅｔｒｉｅｖｅ等によって医用画像データを要求させ、取得した医用画像データをテキストに関連づけて文書データ中に掲載する。
【００７４】
また、参照画像生成部４７は、医用画像データを特定する情報を検索キーとしてデータ取得部４３にＱｕｅｒｙ等のリスト要求を行わせ、データ取得部４３がオブジェクトデータベースのリストを取得すると、このリストに記録されている医用画像データのパスを読み出し、対応するテキストにこのパスをリンク付けするようにしてもよい。
【００７５】
表示制御部４８は、主に演算制御装置を含み構成される。この表示制御部４８は、テキストや医用画像が掲載された文書データをレポートとして表示部４１に表示させる。
【００７６】
図１０は、このようなレポート作成支援システム１の動作を示すフローチャートである。
【００７７】
まず、画像観察装置２は、医用画像を表示部２１に表示する（Ｓ０１）。医用画像データは、データ保管装置３のオブジェクトデータベースを検索して取得される。一方、レポート作成支援装置４において、表示制御部４８は、患者ＩＤや患者名や検査日や検査ＵＩＤや検査目的が予め入力されているレポートを表示部４１に表示させている。
【００７８】
画像観察装置２では、操作部２２を用いて医用画像の拡大操作がなされると（Ｓ０２，Ｙｅｓ）、表示制御部２３は、医用画像を拡大して表示部２１に表示させる（Ｓ０３）。
【００７９】
画像観察装置２では、操作部２２を用いて医用画像にアノテーションを付す操作がなされると（Ｓ０４，Ｙｅｓ）、表示制御部２３は、医用画像上にアノテーションを表示させる（Ｓ０５）。表示制御部２３は、アノテーション表示において、操作により設定された位置を指し示す矢印と、操作により入力されたテキストとを表示させる。
【００８０】
画像観察装置２では、表示されている医用画像をキー画像として選択し、キー画像にコメントを付す操作がなされると（Ｓ０６）、表示制御部２３は、キー画像として選択された医用画像に対してコメントとして入力されたテキストを関連づける（Ｓ０７）。
【００８１】
画像観察装置２では、現在表示している医用画像の拡大やアノテーションやキー画像設定やコメント等の画像表示態様を保存する操作がなされると（Ｓ０８）、読影結果生成部２４は、保存操作までに行われた表示態様の変更の操作や、アノテーション付与の操作や、コメント入力を含むキー画像設定の操作に対応する画像再現情報元データとキー画像選択情報元データを生成し（Ｓ０９）、データ保管装置３に送信する（Ｓ１０）。
【００８２】
データ保管装置３において、オブジェクト生成部３１は、画像再現情報元データとキー画像選択情報元データを画像観察装置２から受信すると（Ｓ１１）、受信した画像再現情報元データとキー画像選択情報元データをオブジェクト化することで、Ｐｒｅｓｅｎｔａｔｉｏｎ  Ｓｔａｔｅオブジェクトと呼ばれる画像再現情報データと、Ｋｅｙ  Ｏｂｊｅｃｔ  Ｓｅｌｅｃｔｉｏｎオブジェクトと呼ばれるキー画像選択情報データを生成する（Ｓ１２）。そして、オブジェクト生成部３１は、画像再現情報データとキー画像選択情報データをデータベースに登録する（Ｓ１３）。
【００８３】
操作部４２を用いてレポートを自動作成する操作が行われると（Ｓ１４）、データ取得部４３は、レポートに含まれている患者ＩＤ、患者名、検査日、検査ＵＩＤ、及び画像再現情報データ又はキー画像選択情報データ又は医用画像データを特定する情報即ちＳＯＰクラスＵＩＤを検索キーとしたＱｕｅｒｙ／Ｒｅｔｒｉｅｖｅ等のデータ要求をデータ保管装置３に対して行う（Ｓ１５）。データ要求を受けたデータ保管装置３において、データ送受信部３４は、オブジェクトデータベース記憶部３３に記憶されているデータベースを参照して、検索キーに合致するオブジェクトを検索し（Ｓ１６）、該当するオブジェクトをデータ保管部から取得し（Ｓ１７）、レポート作成支援装置４に送信する（Ｓ１８）。
【００８４】
レポート作成支援装置４において、データ送受信部３４は、データ保管装置３から送信されてきた画像再現情報データとキー画像選択情報データと医用画像データを受信することで、オブジェクトを取得する（Ｓ１９）。
【００８５】
テキスト抽出部４４は、受信したオブジェクトを解析し、オブジェクトの種類に関連づけられたタグの種類情報を抽出定義テーブル４４１から読み出す（Ｓ２０）。そして、テキスト抽出部４４は、読み出したタグの種類情報が示すタグをオブジェクトから検索し（Ｓ２１）、該当するタグ以下に記録されているテキストを読み出す（Ｓ２２）。
【００８６】
テキストを読み出すと、テキスト抽出部４４は、読み出したテキストを、テキストが含まれていたオブジェクトのＳＯＰインスタンスＵＩＤ即ち画像再現情報データ又はキー画像選択情報データ又は医用画像データを特定する情報と、このオブジェクトが参照する医用画像データのＳＯＰインスタンスＵＩＤ即ち医用画像データを特定する情報と、時刻情報とに関連づけて、テキストデータベース記憶部４５に記憶させる（Ｓ２３）。
【００８７】
テキストが抽出されると、文書生成部４６は、文書生成規則テーブル４６１を参照して、テキストデータベース記憶部４５に記憶されているテキストを優先順位に従って並び替え（Ｓ２４）、並び替えたテキストを順番にレポートの文書データに掲載する（Ｓ２５）。
【００８８】
さらに、テキストが抽出されると、参照画像生成部４７は、レポートの文書データに掲載されたテキストにテキストデータベース記憶部４５のデータベース上で関連づけられている医用画像データを特定する情報を読み出す（Ｓ２６）。そして、参照画像生成部４７は、データ送受信部３４によって受信された医用画像データのうち、読み出した医用画像データを特定する情報に対応する医用画像データを、テキストに対応付けてレポートの文書データに掲載する（Ｓ２７）。
【００８９】
レポートの文書データにテキスト及び医用画像データが掲載されると、レポート作成支援装置４の表示制御部４８は、このテキスト及び医用画像データが掲載された文書データをレポートとして表示部４１に表示させる（Ｓ２８）。
【００９０】
このように、このレポート作成支援システム１を構成するレポート作成支援装置４では、画像観察装置２で生成したコメントやアノテーションに含まれるテキストを取得して、レポートの文書データに掲載する。従って、読影医は、レポートを作成する画面と読影する画面とを行き来する必要がなくなり、より集中して読影を行うことが可能となる。
【００９１】
また、一般的に、まずキーとなるキー画像を認識し、検査目的に応じた読影手法により、読影が行われる。このレポート作成支援装置４では、この読影過程を反映した並び順規則を予め定義しておくようにしたので、キー画像に対するテキストを優先的に上位に並べ、次に検査目的に合致したキーワードを含むテキストを上位に並べ、そして時系列的にテキストを並べることができ、読影過程に合致したレポート作成が容易となり、読影及びレポート作成作業をより効率化することができる。
【図面の簡単な説明】
【００９２】
【図１】レポート作成支援システムの全体構成を示すブロック図である。
【図２】画像観察装置の構成を示すブロック図である。
【図３】データ保管装置の構成を示すブロック図である。
【図４】オブジェクトデータベース記憶部に記憶されたデータベースを示すデータ構造図である。
【図５】レポート作成支援装置の構成を示すブロック図である。
【図６】抽出定義テーブルのデータ構造を示す図である。
【図７】テキストデータベース記憶部に記憶されているデータベースのデータ構造を表す図である。
【図８】文書生成規則テーブルのデータ構造を表す図である。
【図９】キーワードテーブルのデータ構造を示す図である。
【図１０】レポート作成支援システムの動作を示すフローチャートである。
【符号の説明】
【００９３】
１  レポート作成支援システム
２  画像観察装置
２１  表示部
２２  操作部
２３  表示制御部
２４  読影結果生成部
３  データ保管装置
３１  オブジェクト生成部
３２  オブジェクト保管部
３３  オブジェクトデータベース記憶部
３４  データ送受信部
４  レポート作成支援装置
４１  表示部
４２  操作部
４３  データ取得部
４４  テキスト抽出部
４４１  抽出定義テーブル
４５  テキストデータベース記憶部
４６  文書生成部
４６１  文書生成規則テーブル
４６２  キーワードテーブル
４７  参照画像生成部
４８  表示制御部
【図１】
0005091616.tif 000002
【図２】
0005091616.tif 000003
【図３】
0005091616.tif 000004
【図４】
0005091616.tif 000005
【図５】
0005091616.tif 000006
【図６】
0005091616.tif 000007
【図７】
0005091616.tif 000008
【図８】
0005091616.tif 000009
【図９】
0005091616.tif 000010
【図１０】
0005091616.tif 000011